(57)【特許請求の範囲】
【請求項１】
室内壁面等の被取付面に固定されるホルダ部材に対し、該ホルダ部材に装着された棚板保持部材との間隙に一端部を挿入することにより、全体が水平に片持ち支持される商品陳列用の棚板であって、前記一端部にはこの一端部の上面、端面および下面を包むスリップ防止部材が取り付けられ、このスリップ防止部材のうち前記棚板保持部材の支持突起上に支持される部位は摩擦抵抗の大きい軟質樹脂またはゴムにより形成され、この部位以外は硬質部材により形成されていることを特徴とする棚板。
【発明の詳細な説明】
【技術分野】
【０００１】
本発明は、壁面等に取付けられた棚板保持装置に着脱自在に装着されて、商品等を陳列するのに用いる棚板に関するものである。
【背景技術】
【０００２】
室内の壁面等に複数の壁面部材を上下方向に列設し、これらの列設間に商品陳列用ハンガを係脱自在に保持させるための長溝を形成する取付部材を設けて室内壁面等を形成すれば、その長溝の適宜位置にハンガを掛け止めすることができ、商品陳列に適する（例えば、特許文献１参照）。しかしながら、壁面部材を被取付面と平行離間して取り付ける場合に、長溝を通して被取付面が露出するため、ハンガ掛止部分を最小にし、壁面部材によって室内等の陳列場所の美観を高める上で大きな障害となる。
【０００３】
これに対して、基部プレートの前部に蟻溝部を形成する構成部材に上下方向から延出する一対の区画壁を設け、この区画壁によって形成されたハンガ係止部に区画壁と同様に一対の係止用壁を形成した商品陳列用壁面構成部材が提案されている（例えば、特許文献２）。これによれば、基部プレートと区画壁との間に装飾プレートを介在することによって被取付面が露出するのを回避できる。一方、ハンガ係止部に対し、角棒状のハンガ端にあるハンガ基部を係止することでハンガ全体を片持ち支持することができる。
【先行技術文献】
【特許文献】
【０００４】
【特許文献１】特公昭６１−１０１２２号公報
【特許文献２】特公平０３−１８８８５号公報
【発明の開示】
【発明が解決しようとする課題】
【０００５】
しかしながら、かかる従来の商品陳列用壁面構成部材にあっては、ハンガの片持ち支持状態にあっては、ハンガ基部とこのハンガ基部を収納するハンガ係止部との間隙およびハンガ軸部と蟻溝開口部との間隙が大きいため、ハンガ基部およびハンガ軸部が前記各間隙においてガタ付き、そのハンガ軸部が前記間隙内でその軸方向に滑ったり、軸の回りに回動したりして支持が不安定となり、商品をハンガ上に安定かつ整然と支持することができないという不都合があった。
【０００６】
本発明は、かかる従来の問題点に着目してなされたものであり、室内の壁面等に取り付けられたホルダ部材に対してガタ付きを生じることがなく装着でき、従って商品等を整然かつ安定的に支持並びに展示することができる棚板を提供することを目的とする。
【０００７】
前記目的達成のために、本発明にかかる棚板は、室内壁面等の被取付面に固定されるホルダ部材に対し、該ホルダ部材に装着された棚板保持部材との間隙に一端部を挿入することにより、全体が水平に片持ち支持される商品陳列用の棚板であって、前記一端部にはこの一端部の上面、端面および下面を包むスリップ防止部材が取り付けられ、このスリップ防止部材のうち前記棚板保持部材の支持突起上に支持される部位は摩擦抵抗の大きい軟質樹脂またはゴムにより形成され、この部位以外は硬質部材により形成されていることを特徴とする。
【０００８】
この構成により、棚板の一端部がホルダ部材と棚板保持部材との間隙に挿入されたとき、この棚板の一端に一体のスリップ防止部材はその間隙にあって安定的に水平支持されるとともに、棚板の下面に位置する部位が棚板保持部材に対して大きな摩擦抵抗を持つため、この棚板の下面は棚板保持部材上で滑って移動することはなく、棚板のホルダ部材における前記水平支持状態が安定に維持される。
【発明の効果】
【０００９】
本発明によれば、棚板の一端部に設けられたスリップ防止部材が、棚板保持部材の棚板支持面に対し大きな摩擦抵抗を持つため、前記ホルダ部材と棚板保持部材との間隙内で棚板が滑って外に脱出したり、前記間隙内でガタ付いて移動したりすることを防止でき、商品を載置した棚板全体を略水平に安定支持することができる。
【００１０】
以上、本発明について簡潔に説明した。更に、以下に説明される発明を実施するための最良の形態を添付の図面を参照して詳細に説明する。
【図面の簡単な説明】
【００１１】
【図１】本発明の実施形態による棚板を示す斜視図である。
【図２】図１における棚板を保持する棚板保持装置を示す縦断面図である。
【図３】図１におけるホルダ部材を示す斜視図である。
【図４】図１における棚板保持部材を示す斜視図である。
【図５】図１におけるホルダ部材に対する棚板保持部材の組み付け手順を示す説明図である。
【図６】図１におけるホルダ部材の被取付部材に対する組立図である。
【図７】棚板保持装置に対する棚板の装着状況を示す斜視図である。
【図８】図７に示すホルダ部材、棚板保持部材、スリップ防止部材および棚板の組付け斜視図である。
【発明を実施するための形態】
【００１２】
以下、本発明の実施の形態を、図１〜図８を参照して詳細に説明する。図１は、本実施形態による棚板を示す斜視図である。この実施形態において、各図に示す棚板３１は所定サイズ、形状および強度を持つ平板状のガラス板や合成樹脂板である。この棚板３１の先端部は後述のホルダ部材および棚板保持部材間に支持されて、室内の壁面等に水平支持される。
【００１３】
前記平板状の棚板３１は、図１に示すように、一端部に略Ｊ字状断面形を有するスリップ防止部材３２が所定幅に亘って嵌装されている。このスリップ防止部材３２は全体として上部片３２ａ、側部片３２ｂおよび下部片３２ｃからなる。これらのうち、上部片３２ａは棚板３１の一端部の上面を、側部片３２ｂは同じく棚板３１の一端部の端面（側面）を、下部片３２ｃは同じく棚板３１の一端部の下面を、それぞれ包むように、棚板３１の一端部に嵌着や接着等により固定されている。
【００１４】
スリップ防止部材３２のうち、棚板３１の下面を支える下部片３２ｃの全部または一部は、後述の棚板保持部材２の支持面（上面）に対して摩擦抵抗の大きい軟質部材としての軟質樹脂やゴムによって形成されている。なお、前記上部片３２ａおよび側部片３２ｂは硬質の合成樹脂からなる。また、スリップ防止部材３２の棚板３１に対する取り付けは、スリップ防止部材３２の棚板３１の一端部に対する嵌合や接着材による接着によってなされる。さらに、スリップ防止部材３２のうち、上部片３２ａは後述の上部Ｌ字状支持片１７の前後方向長に比べ僅かに長く、下部片３２ｃは後述の棚板保持部材２の水平片２１の前後方向長より僅か短かめになっている。
【００１５】
図２〜図８は、前記棚板３１の棚板保持装置Ａに対する取り付け構造を示す。同各図において、棚板保持装置Ａは、ホルダ部材１と、棚板保持部材２とから構成されている。これらのうち、ホルダ部材１は全体として鋼材やアルミ材などの押し出し成形により得られ、室内壁面等の被取り付け面、本実施形態ではＣ型鋼材１１に水平配置され、かつ固定される。ホルダ部材１は、１枚のベース片３と、このベース片３前面の上下端部に一体に設けられた化粧板固定部としての矩形筒状の支持台部４，５と、これらの支持台部４，５の互いに対向する部位にそれぞれ一体に連設されて、一部がこれらと共用される、小型の矩形筒状の取り付け台部６，７と、これらの取り付け台部６，７間に一体に連設された棚板保持部８とを有する。
【００１６】
そして、これらの支持台部４，５、取り付け台部６，７および棚板保持部８は、ベース片３の中心線Ｌに対して対称配置されている。これにより、このホルダ部材１の上下の向きが異なることによる取り付けミスを未然に回避でき、取り付け作業の効率を改善できる。この支持台部４、５の前面には化粧板９，１０が当接され、この化粧板９，１０を通してネジ２４をその支持台部４、５にねじ込むことにより、化粧版９，１０が支持台部４，５にそれぞれ固定される。
【００１７】
取り付け台部６、７の前部壁６ａ，７ａは支持台部４，５の前部壁４ａ，５ａよりベース片３側に後退した位置に臨み、その前部壁６ａ，７ａの中心部にはねじ挿通用のガイド溝６ｂ，７ｂが形成されている。取り付け台部６、７はこれらのガイド溝６ｂ，７ｂから前記Ｃ型鋼材１１にねじ込んだネジ１２によって固着される。これにより、ホルダ部材１が垂直方向に配列した複数本の前記Ｃ型鋼材１１に水平に固定される。
【００１８】
ベース片３前方の取り付け台部６，７間には、所定幅の空隙Ｇ３を介して垂直方向に補強片１３が一体に設けられている。この補強片１３は、商品陳列用の棚板に負荷される荷重を受けて取り付け台部６，７がベース片３に対し揺動したり、ベース片３自体が変形したりするのを防止するように機能する。
【００１９】
更に、この補強片１３前方の取り付け台部６，７にはその補強片１３から所定幅の第１の空隙Ｇ１を介して、それぞれ上部垂下片１４および下部起立片１５が垂直方向に突設されている。これらの上部垂下片１４および下部起立片１５はサイズや形状が同一であり、これらの間には後述の棚板保持部材２を装着するための保持間隙１６が介在されている。
【００２０】
上部垂下片１４および下部起立片１５の前方の取り付け台部６，７にはこれらから更に所定幅の第２の空隙Ｇ２を介してそれぞれ上部Ｌ字状支持片１７および下部Ｌ字状支持片１８が、互いに対象配置となるように突設されている。ここで各Ｌ字状支持片１７，１８の垂直片１７ａ，１８ａの前面は、支持台部４，５の前部壁４ａ，５ａの前面と同一の垂直面内にあり、前記化粧版９の裏面を均等の圧力で支持可能にしている。
【００２１】
各Ｌ字状支持片１７，１８の水平片１７ｂ，１８ｂはサイズや形状が同一であり、対象配置され、かつ所定の保持間隙１９をおいて配置される。この保持間隙１９は前記上部垂下片１４および下部起立片１５間の保持間隙１６と同一寸法とされている。なお、水平片１７ｂ，１８ｂの水平方向長は化粧板９，１０の厚みに対応した長さとする。
【００２２】
一方、前記棚板保持部材２は垂直片２０および水平片２１を持つＬ字状部材であり、ある程度の硬さを持つように、所定の金属材料または合成樹脂材料により成形されている。垂直片２０は背面側が先端部を除き平坦に形成され、これの上部前面側には矩形断面形状の第１の係止突起２０ａが、図上において水平方向に向かって突設されている。この第１の係止突起２０ａは前面が平坦である。
【００２３】
水平片２１は下面側が先端部付近を除いて平坦に形成され、その下面側の先端部付近には、下面が緩やかに湾曲する所定高さの第２の係止突起２１ａが形成されている。また、水平片２１下面と第２の係止突起２１ａとが連続する段部は傾斜面で繋がっている。更に、水平片２１上面の先端部付近には、上面が平坦な支持突起２１ｂが突設されている。かかる構成の棚板保持部材２は、図２に示すようにホルダ部材１に装着されるが、その装着手順は後述する。
【００２４】
ホルダ部材１には、棚板保持部材２を介して棚板３１の端部が装着される。この棚板３１はその端部に横Ｊ字状のスリップ防止部材３２が前述のように嵌装されている。このスリップ防止部材３２は、水平片２１の上面、すなわち少なくとも水平片２１の支持突起２１ｂ上に支持される部位が摩擦抵抗の大きい軟質部材（軟質樹脂やゴム）Ｅによって形成され、この部位以外は硬質部材（硬質樹脂）Ｆによって形成されている。図では、スリップ防止部材の略コの字状をなす部分を硬質部材Ｆとし、残りの平板部分を軟質部材Ｅとしてそれぞれ示してある。
【００２５】
前記棚板保持装置Ａは次のようにして組み付けられる。先ず、図２および図６に示すように、垂直方向に長いＣ型鋼材１１を水平方向に複数本配置し、ホルダ部材１をこれらのＣ型鋼材１１に対して水平状態に固定する。この固定は、ベース片３をＣ型鋼材１１の前面に当接し、取付台部６，７の各ガイド溝６ｂ，７ｂからベース片３を貫通して、ネジ１２をＣ型鋼材１１にねじ込むことにより行われる。
【００２６】
続いて、化粧板９，１０を用意し、この化粧板９の下端を上部Ｌ字状支持片１７の水平片１７ｂ上に当接させる。また、化粧板９の裏面を支持台部４の前部壁４ａ前面と、上部Ｌ字状支持片１７の垂直片１７ａ前面に当接させる。同様にして、化粧板１０の上端を下部Ｌ字状支持片１８の水平変１８ｂ下面に当接させる。また、化粧板１８の裏面を支持台部５の前部壁５ａ前面と下部Ｌ字状支持片１８の垂直片１８ａ前面に当接させる。そして、これらの化粧板９，１０の表面側から、図２および図６に示すように、前部壁４ａ，５ａにネジ２４をねじ込む。これにより各化粧板９、１０がホルダ部材１に固定される。
【００２７】
次に、ホルダ部材１に対し棚板保持部材２を装着する。この装着の手順は図５に示す通りである。先ず、図５（ａ）に示すように、棚板保持部材２の垂直片２０をその先端部から水平片１７ｂ，１８ｂ間の保持間隙１９、第２の空隙Ｇ２および上部垂下片１４、下部起立片１５間の保持間隙１６を通して空隙内に斜め下方から挿し入れる。続いて棚板保持部材２を図５（ｂ）に示すように、時計方向に回動操作する。
【００２８】
これにより、垂直片２０の第１の係止突起２０ａの上面が、垂下片１４の下縁に突き当たる。また、前記回動操作によって、棚板保持部材２の水平片２１が略水平になると、今度は棚板保持部材２の第２の係止突起２１ａが水平片１８ｂの端縁に係止する。このとき垂直片２０の背面が図５（ｃ）に示すように、補強片１３の前面に当接する。この状態では、棚板保持部材２はホルダ部材１に対し大きな外力を受けても簡単に離脱することはない。
【００２９】
次に、棚板保持部材２を利用してホルダ部材１に本実施形態の棚板３１を装着する手順を、図７および図８を参照しながら説明する。棚板３１の一端部にはスリップ防止部材３２が嵌め込まれ、必要に応じこれが接着剤を介して固着される。このスリップ防止部材３２側を、上部Ｌ字状支持片１７の水平片１７ｂとホルダ部材１の水平片２１との間隙に挿し込み、スリップ防止部材３２を介して棚板３１の前記一端を棚板保持部材２の第１の係止突起２０ａ前面に突き当てる。
【００３０】
これにより、棚板３１の前記一端の上面が、スリップ防止部材３２の側部片３２ｂを介して水平片１７ｂ下面に密接し、棚板３１の前記一端の下面がスリップ防止部材３２の軟質部材Ｅを介して水平片２１の支持突起２１ｂ上面に支承される。棚板３１は商品の陳列に用いられ、その一端部が前述のように片持ち支持される。従って、この棚板３１自体の重量および陳列品の荷重を受けて棚板３１には棚板保持部材２の水平片２１端付近を中心として、  図２において、時計方向に回転する力が作用する。
【００３１】
しかし、この棚板３１は、上部Ｌ字状支持片１７の垂直片１７ａと水平片１７ｂが連続する部位（角部）付近と、水平片２１上面、ここでは支持突起２１ｂとによって前記回動が規制されるとともに、前記連続する部位付近に加わる上方向への押上げ力は、ネジ１２によって固定された取付台部６を介してＣ型鋼材１１に分散される。このため、棚板３１は傾くことなく安定支持される。
【００３２】
また、棚板３１によって水平片２１上面の端部付近に加えられる下方向への押し下げ力は、垂直片２０の上端前面は垂下片１４に対する係止、補強片１３前面の垂直片２０背面に対する接合、下部Ｌ字状支持片１８上面の水平片２１下面に対する接合によって、それぞれ分散される。従って、棚板３１は棚板保持部材２によってホルダ部材１に対し傾くことなく安定的に片持ち支持される。
【００３３】
この場合に、水平片２１ｂ上面にはスリップ防止部材２３の下部片３２ｃの軟質部材Ｅが密接するため、棚板３１がホルダ部材２の水平片２１と上部Ｌ字状支持片１７の水平片１７ｂとの間隙から外方へ滑り出ることを確実に防止できる。なお、棚板３１に対し前記荷重が負荷された場合には、前記軟質部材Ｅと、水平片２１上面との摩擦抵抗が一段と高まり、棚板３１の前記滑り出しや脱落を確実に防止できる。
【００３４】
このように、本実施形態の商品陳列用の棚板は、室内壁面等の被取付面に固定されるホルダ部材２に対し、該ホルダ部材２に装着された棚板保持部材２との間隙に一端部を挿入することにより、全体が水平に片持ち保持され、前記一端部にこの一端部の上面、端面および下面を包むスリップ防止部材３２を取り付け、このスリップ防止部材３２のうち前記下面を包む部位を軟質樹脂またはゴムとしたことにより、棚板３１の一端部がホルダ部材１と棚板保持部材２との間隙に挿入されたとき、この棚板３１の一端に一体のスリップ防止部材３２はその間隙にあって水平支持されるとともに、棚板３１の下面に位置する部位が棚板保持部材２に対して大きな摩擦を持つ。この結果、この棚板３１の下面は棚板保持部材３２に対して滑って移動することはなく、棚板３１の全体を略水平に安定支持でき、整列状態を保ったまま商品の陳列、展示が可能になるものである。
【産業上の利用可能性】
【００３５】
本発明は前記ホルダ部材と棚板保持部材との間隙内で棚板が滑って外に脱出したり、前記間隙内でガタ付いたりすることを防止でき、棚板全体を略水平に安定支持することができ、棚板保持装置に着脱自在に装着されて、商品等を陳列するのに用いる棚板等に有用である。
【符号の説明】
【００３６】
１… ホルダ部材
２ …棚板保持部材
３ …ベース片
４、５ …支持台部（化粧板固定部）
６、７… 取付台部（ホルダ取付部）
８… 棚板保持部
９、１０ …化粧板
１１ …Ｃ型鋼材
１２、２４ …ネジ
１３ …補強片
１４ …上部垂下片
１５… 下部起立片
１６、１９… 保持間隙
１７… 上部Ｌ字状支持片
１８… 下部Ｌ字状支持片
２０ …垂直片
２０ａ… 第１の係止突起
２１… 水平片
２１ｂ …第２の係止突起
３１…棚板
３２…スリップ防止部材
【図１】
0005502057.tif 000002
【図２】
0005502057.tif 000003
【図３】
0005502057.tif 000004
【図４】
0005502057.tif 000005
【図５】
0005502057.tif 000006
【図６】
0005502057.tif 000007
【図７】
0005502057.tif 000008
【図８】
0005502057.tif 000009